(57)【特許請求の範囲】
【請求項１】
所定の位相値を入力されて利得を調節し累積して出力させるループフィルターと、
前記ループフィルターの出力値に利得値を与えてこの値をフィードバックさせて加算した後に出力させる電圧制御発振部と、
前記電圧制御発振部の出力結果から正弦波および余弦波を求めてこれをＡ／Ｄ変換器の出力信号に乗算してＯＦＤＭ復調器に出力させるディロテータと、
前記ＯＦＤＭ復調器から出力された値を周波数オフセットの大きさに応じて反比例する値を有する相関度をシンボル単位で計算して出力する相関度計算手段と、
任意の周波数オフセット偏差範囲を設定して順次に発生された周波数オフセットに応じる位相信号を発生させて前記ループフィルターに出力し、これにより補正されたシンボルに対する前記相関度計算手段の出力値に応じて周波数オフセットの近似値を最終的に決定し、前記最終決定された周波数推定値に応じて周波数オフセットを補正する周波数オフセット推定手段
とを備え、
前記周波数オフセット推定手段が、
所定の範囲で順次に整数または小数を発生させて出力する周波数オフセット発生手段と、
前記周波数オフセット発生手段の出力値を格納するための臨時格納手段とを備え、
前記周波数オフセット発生手段が、
一定範囲の整数を順次に出力する第１次発生手段と、
前記臨時格納手段に格納された整数値から＋／−０．５された値を順次に発生させる第２次発生手段と、
前記第１次発生手段と第２次発生手段の出力値を選択して出力する選択手段とを備えることを特徴とするＯＦＤＭ受信システムの周波数オフセット補正装置。
【請求項２】
前記周波数オフセット推定手段が、更に、
前記相関度計算手段の出力値を入力されて順次に比較して大きい値を格納し、格納される相関度値を発生させた前記周波数オフセット発生手段の出力値を前記臨時格納手段に格納させるように制御する比較手段と、
前記周波数オフセット発生手段の出力値に搬送波周波数の間隔を乗算し位相値を計算して出力させる位相計算手段と、
前記周波数オフセット発生手段と前記格納手段、前記比較手段および前記ループフィルターを初期化し、最終段階で前記臨時格納手段の値を周波数オフセット値として選択して前記位相計算手段を経て前記ループフィルターに出力するように制御する制御手段とを備えることを特徴とする請求項１に記載のＯＦＤＭ受信システムの周波数オフセット補正装置。
【請求項３】
前記相関度計算手段が前記ＯＦＤＭ復調器から出力されるシンボル中の一定な位置に含まれた連続パイロットキャリヤを用いて前記相関度を計算することを特徴とする請求項１に記載のＯＦＤＭ受信システムの周波数オフセット補正装置。
【請求項４】
前記相関度計算手段が、
前記ＯＦＤＭ復調器から出力されるシンボルで連続パイロットキャリヤのみを出力する抽出手段と、
送信部から発生される連続パイロットキャリヤの基準情報値を再現して出力する基準情報値発生部と、
前記抽出手段の出力値と前記基準情報値発生部の出力値を各々入力されて相関度を計算し累積してシンボル単位の相関度を出力する相関器とを備えることを特徴とする請求項３に記載のＯＦＤＭ受信システムの周波数オフセット補正装置。
【請求項５】
前記基準情報値発生部がＰＲＢＳで具現されたことを特徴とする請求項４に記載のＯＦＤＭ受信システムの周波数オフセット補正装置。
【発明の詳細な説明】
【０００１】
【発明の属する技術分野】
本発明はＯＦＤＭ受信システムに係り、特にＯＦＤＭ方式で伝送された送受信周波数間の差である周波数オフセットを搬送波周波数間隔の１／４範囲内に補正するＯＦＤＭ受信システムの周波数オフセット補正装置に関する。
【０００２】
【従来の技術】
移動通信およびデジタルＨＤＴＶの伝送チャンネルでは多経路伝送により受信されるシンボル間の干渉が発生する。ＨＤＴＶシステムのように高速のデータが伝送される場合、このようなシンボル間の干渉がさらに激しく発生し、こうしたシンボル間の干渉は受信側のデータ検出過程で深刻な誤りを招くようになる。最近、欧州ではＤＡＢ(digital audio broadcasting)および地上放送ＨＤＴＶの伝送方式として、このような多経路伝送チャンネルで強力に動作できるＯＦＤＭ(orthogonal frequency division multiplexing)方式が提案された。ＯＦＤＭ方式は入力されるシンボル列を並列化した後、これらを相互直交性を有する多数の副搬送波に変調させて伝送する。したがって、従来の単一搬送波伝送方式に比べて同一なシンボル伝送率を保ちながらもシンボル周期を並列化した副チャンネルの数だけ増加させることができて、多経路伝送によるシンボル間の干渉を減らすことができる。特に、伝送されるシンボル間に保護区間(guard interval)を挿入する場合、シンボル間の干渉をさらに減らすのができるので、チャンネル等化器の構造が非常に簡単化される長所がある。また、ＯＦＤＭ方式は従来のＦＤＭ(frequency division multiplexing)方式とは異なり各副チャンネルのスペクトルが相互重畳される特性があるため、帯域効率が高くスペクトルの形態が四角波状で電力が各周波数帯域に均一に分布して同一チャンネル干渉信号に強い長所もある。
【０００３】
一方、チャンネル特性が時間に応じて激しく変化すると伝送信号の周波数帯域が移動するドップラー現象が発生したり受信器の同調器が不安定化した場合に送信周波数と受信周波数の同期化が行われなくなる現象が発生する。この際、送受信周波数の差を周波数オフセット(frequency offset)という。このような周波数オフセットは受信信号の位相を変化させてシステムの復号性能を低下させる。多重搬送波を用いるＯＦＤＭ方式ではシンボルの検出が各副チャンネル別に行われるが、周波数オフセットが発生する場合、各副搬送波周波数間の直交性が保たれなくて隣接副チャンネル間の干渉現象が発生するようになる。特に、ＯＦＤＭの副チャンネル数が増加するほど各副搬送波が決まった帯域内に稠密に分布して小さい周波数オフセット値にも隣接副チャンネル間の干渉が激しく発生する。したがって、周波数オフセット補正は実際システムの具現時に考慮すべきな最大の問題点の一つである。
【０００４】
このような周波数オフセット補正問題に対してＦ.ＤaffaraとＯ.Ａdamiが１９９５年のＰrc.of ＶＴＣ'９５に発表した論文“Ａ new frequency detector for orthogonal multicarrier transmission techn iques”で、ＯＦＤＭ信号中に含まれた保護区間を用いた周波数オフセット補正回路を提案したことがある。
【０００５】
すなわち、ＯＦＤＭ信号内の保護区間は伝送信号の循環する接頭(circular prefix)性質から周波数オフセットに応じる特性曲線(characteristi ccurve)を誘導した後、これに基づきＰＬＬを用いた周波数オフセット補正回路を構成した。
【０００６】
しかしながら、このような回路は構造が簡単な長所がある反面、周波数オフセット値が大きいほど性能が低下し、特に周波数オフセット値が副搬送波間の周波数間隔より大きいと適用できないという問題点がある。
【０００７】
Ｐ.Ｈ.Ｍooseが１９９４年１０月のＩＥＥＥ Ｔrans.Ｃommun,vol.ＣＯＭ-４２に発表した論文“A technique for orthogonal frequency division multiplexing frequency offset correction”で、ＰＬＬを用いず周波数選択性フェージングチャンネルで特定のシンボル列を繰り返して伝送して周波数オフセット値を推定することによりチャンネル環境に強力に適用できる周波数オフセット補正回路を提案したことがある。
【０００８】
ところが、このような方法ではシンボル列が繰り返して伝送されることにより有効シンボルの伝送速度を低下させ、周波数オフセット(ε)の大きさが隣接副搬送波間の周波数間隔より大きくなる場合適用しがたくなる問題点がある。
【０００９】
0003965638.tif 000002
劣化程度がさらに激しく現れるが、これは周波数オフセットが各副搬送波の周波数を隣接副チャンネル帯域に偏向移動させて復号されたＯＦＤＭシンボル間の回転移動(circular shift)を招くからである。このような現象は受信信号がフーリエ演算で離散信号に定義されるので、周波数オフセット値が整数であれば回転移動のみが起こり、整数でなければ回転移動と共に隣接チャンネル干渉であるクロストーク現象が起こるようになる。
【００１０】
0003965638.tif 000003
しにクロストーク現象のみが起こる。もし、周波数オフセットがε＝ｍ(ｍ＝整数)であれば本チャンネルと共に隣接チャンネル間の干渉現象は起きないが、１番目のシンボルが１−ｍ番目の副チャンネルに伝送されるので一般的な補正方法を適用しても正しく復旧することができなくなる。
【００１１】
よって、周波数オフセット補正ではまず周波数オフセット値を回転移動が起き
0003965638.tif 000004
で周波数オフセット値を正確に算出する周波数オフセット追跡過程が行われるべきである。
【００１２】
このような方法によりＦ.ＣlassenとＨ.Ｍyerが１９９４年のＰroc. of ＶＴＣ'９４に発表した論文“Ｆrequency synchronization algorithm for ＯＦＤＭ systems suitable for communication over frequency selective fading channels”で、周波数オフセット値を推定する前に初期周波数オフセットを一定範囲内に減少させる獲得過程(acqusition process)と周波数オフセットを高精度に推定する追跡過程(tracking process)の二つの段階に分離して周波数オフセット値を推定する方法を提案したことがある。
【００１３】
しかしながら、この方法では周波数獲得過程の計算量が多すぎてチャンネル特性に応じて周波数オフセットの減少が保障できないという問題点がある。
【００１４】
すなわち、周波数オフセット値が１／２範囲内に減少しても周波数オフセット値が１／２境界部位に存在する場合、周波数オフセットを精密追跡する過程で計算量が増加する問題点がある。
【００１５】
【発明が解決しようとする課題】
本発明は、前記の問題点を解決するために案出されたものであり、多重搬送波を用いるＯＦＤＭ伝送方式で受信周波数と送信周波数間の差である周波数オフセットを搬送波周波数間隔の１／４範囲内に補正するＯＦＤＭ受信システムの周波数オフセット補正装置を提供することを目的とする。
【００１６】
【課題を解決するための手段】
前記目的を達成するために本発明のＯＦＤＭ受信システムの周波数オフセット補正装置は、所定の位相値を入力されて利得を調節し累積して出力させるループフィルターと、前記ループフィルターの出力値に利得値を与えてこの値をフィードバックさせて加算した後に出力させる電圧制御発振部と、前記電圧制御発振部の出力結果から正弦波および余弦波を求めてこれをＡ／Ｄ変換器の出力信号に乗算してＯＦＤＭ復調器に出力させるディロテータと、前記ＯＦＤＭ復調器から出力された値を周波数オフセットの大きさに応じて反比例する値を有する相関度をシンボル単位で計算して出力する相関度計算手段と、任意の周波数オフセット偏差範囲を設定して順次に発生された周波数オフセットに応じる位相信号を発生させて前記ループフィルターに出力し、これにより補正されたシンボルに対する前記相関度計算手段の出力値に応じて周波数オフセットの近似値を最終的に決定し、前記最終決定された周波数推定値に応じて周波数オフセットを補正する周波数オフセット推定手段とを備え、前記周波数オフセット推定手段が、所定の範囲で順次に整数または小数を発生させて出力する周波数オフセット発生手段と、前記周波数オフセット発生手段の出力値を格納するための臨時格納手段とを備え、前記周波数オフセット発生手段が、一定範囲の整数を順次に出力する第１次発生手段と、前記臨時格納手段に格納された整数値から＋／−０．５された値を順次に発生させる第２次発生手段と、前記第１次発生手段と第２次発生手段の出力値を選択して出力する選択手段とを備えることを特徴とする。
【００１７】
【発明の実施の形態】
以下、添付図面を参照しつつ本発明の好適な実施形態について詳細に説明する。
【００１８】
図１は本発明によるＯＦＤＭ受信システムの一実施形態を概略的に示したブロック図であり、受信されたチャンネル信号をデジタル信号に変換するアナログ／デジタル変換器１００、ループフィルター２００、電圧制御発振器３００、ディロテータ(derotator)４００、ＯＦＤＭ復調器５００、相関度計算部６００および周波数オフセット推定部７００から構成されている。
【００１９】
前記ループフィルター２００は前記周波数オフセット推定部７００から入力された任意の周波数オフセットに応じる位相信号を入力されて、前記位相信号値に利得を調節し累積して前記電圧制御発振器３００に供給する。前記電圧制御発振器３００は前記ループフィルター２００から出力された信号に利得値を与えフィードバックさせて加算した後、前記ディロテータ４００に出力する。
【００２０】
前記ディロテータ４００は前記電圧制御発振器３００の出力値から正弦波および余弦波を求め、これをＡ／Ｄ変換器１００から伝達されたデジタル信号と乗算してＯＦＤＭ復調器５００に出力する。
【００２１】
前記ディロテータ４００から出力された値はまずＯＦＤＭ復調器の保護区間除去部５１０に供給される。前記保護区間除去部５１０は受信されたデータから有効シンボル区間にある信号のみを抽出し、前記抽出された信号を直並列変換器５２０に供給する。前記直並列変換器５２０は直列データをすべての副搬送波に対する並列データに変換し、前記変換された並列データを高速フーリエ交換(以下、ＦＦＴという)回路５３０に出力する。前記ＦＦＴ回路５３０はＦＦＴ動作を通して副搬送波を復調する。前記ＦＦＴ回路５３０から出力された信号は、並直列変換器５４０により直列データに変換されて出力される。
【００２２】
前記ＯＦＤＭ復調器５００から出力された値を入力される相関度計算部６００はシンボル単位で相関度値を計算する。
【００２３】
例えば、本実施形態では前記ＯＦＤＭ復調器５００から出力されるシンボルのうち一定な位置に含まれた連続パイロットキャリヤのみを用いて相関度を計算している。
【００２４】
欧州方式の地上波放送システムではＯＦＤＭフレーム内の多様なセルが伝送された値が受信器に知られた基準情報に復調されている。この基準情報を含んでいるセルは他のセルに比べて振幅が１／０.７５倍強いエネルギー信号を有するブーストパワーレベルで伝送される。これらのセルの情報値は伝送された各々のキャリヤに対して一つずつ一連の値を有するＰＲＢＳ(Ｐseudo random binary sequence)から誘導される。
【００２５】
特に、本実施形態で用いる基準信号は、ＯＦＤＭシンボル内に一定な位置にブーストパワーレベルで伝送される連続パイロットキャリヤ(ＣＰＣ)を用いて相関度を計算するようにされている。
【００２６】
この際、前記連続パイロットキャリヤ(ＣＰＣ)は欧州伝送規格によると下記の表１に示したように、一つのシンボル内の一定な位置から伝送される。
【００２７】
【表１】
0003965638.tif 000005
【００２８】
これらの連続パイロットキャリヤの振幅(Ｃ)は通常の伝送信号(Ｃ')に対して１／０.７５倍に増加されたエネルギーを有するようになるので、これらの基準信号の値はデータキャリヤより高いエネルギーを有するようになる。したがって、これらの基準信号を用いて相関度を計算すると受信周波数と送信周波数との差である周波数オフセットが最小になる時に最大になる相関度値を有するようになる。
【００２９】
よって、本発明の実施形態では前述のようにシンボル内に含まれた連続パイロットキャリヤを用いてシンボルの相関度を計算して周波数オフセットを獲得するようにしている。
【００３０】
図２はシンボル内に含まれた連続パイロットキャリヤを用いて相関度を計算する本発明の相関度計算部の構成ブロック図を示したものである。
【００３１】
抽出部６１０は前記ＯＦＤＭ復調器５００から出力されるシンボルで一定な位置に存在する連続パイロットキャリヤのみを抽出して出力する。相関器６２０では前記抽出部６１０から出力された連続パイロットキャリヤとこれに対応する基準情報値で各々相関度を計算して一つのシンボルの相関度を計算する。
【００３２】
この際、前記相関器６２０に基準情報値を提供する基準情報値発生部６３０は、送信システムでシンボル内に含まれる基準情報値を発生させるＰＲＢＳを用いて具現することができる。
【００３３】
ＰＲＢＳシーケンスは図３に示したように、ＰＲＢＳから一番目の出力ビットが一番目の活性キャリヤと一致すると初期化され、すべてのキャリヤ毎にＰＲＢＳにより生成された値により与えられる。このＰＲＢＳの多項式は次のように示される。
【００３４】
Ｇ(Ｘ)=Ｘ11−Ｘ2＋１
もし、ＰＲＢＳが“０”を発生させるとパイロットセルは実数部が“１”で虚数部が“０”になり、ＰＲＢＳが“１”を発生させるとパイロットセルは実数部が“-１”で虚数部が“０”になる。
【００３５】
前記周波数オフセット推定部７００は任意の周波数オフセット偏差範囲を設定して順次に発生した周波数オフセットに応じる位相信号を発生させて前記ループフィルター２００に出力させ、前記相関度計算部６００により出力された相関度に応じて周波数オフセットの近似値を最終的に決定する。
【００３６】
図４は本発明による周波数オフセット推定部の構成ブロックを詳細に示したものである。
【００３７】
周波数オフセット発生部７１０では所定範囲で順次に整数または小数を発生させて位相計算部７２０に出力する。前記位相計算部７２０では前記周波数オフセット発生部７１０から出力された値に搬送波周波数間隔に当たる周波数値を乗算して得られた位相信号値を出力する。前記位相計算部７２０から出力された位相信号は前記ループフィルター２００に出力されてチャンネル信号の周波数を補正するようになる。このように周波数が補正されたチャンネル信号は前記ＯＦＤＭ復調器５００で復調される。前記ＯＦＤＭ復調器５００から出力されたシンボルは前記相関度計算部６００で該シンボルの相関度値を計算して比較部７３０に出力される。前記比較部７３０は前記相関度計算部６００から出力された相関度値を順次に比較して大きい値を格納し、前記格納された相関度値を発生させた周波数オフセット発生部７１０の出力値を周波数オフセット推定値として臨時格納するように制御する。制御部７４０は前記周波数オフセット発生部７１０と比較部７３０およびループフィルター２００を最初に初期化し、最終的に得られた周波数オフセット推定値をチャンネル信号の周波数オフセット値に推定して出力させるので、現在チャンネル信号の周波数オフセットを補正するようになる。
【００３８】
前記周波数オフセット発生部７１０は第１次発生部７１１と臨時格納部７１２、第２次発生部７１３および第１、２選択部７１４,７１５から構成されている。
【００３９】
まず、前記第１次発生部７１１は一定な範囲の整数を順次に発生してこれを前記位相計算部７２０に出力して位相信号に変換して出力し、前記変換された位相信号によりチャンネル信号を前記ディロテータ４００で補正してＯＦＤＭ復調器５００に出力させる。すると、前記相関度計算部６００では該シンボルの相関度を計算して出力し、前記出力されたシンボルの相関度は前記比較部７３０で既格納された相関度値と比較される。この際、比較部７３０は比較された結果に応じて前記臨時格納部７１２を更新するように制御する。
【００４０】
もし、相関度値が大きい場合には前記第１次発生部７１１から出力された値を前記臨時格納部７１２に格納し、相関度値が小さい場合には前記臨時格納部７１２の値を更新せず既格納された値を引き続き保つようになる。
【００４１】
前記第１次発生部７１１が決まった範囲の整数を順次に発生させて最終的に得られた値が前記臨時格納部７１２に格納されるので、前記値は搬送波周波数間隔の１／２範囲内の値を有する周波数オフセットの近似値に当たる。
【００４２】
図５は本発明の第１次発生部の一実施形態を詳細に示した図面であり、初期値を発生する初期値発生部７５０と、マルチプレクサ７５１と、レジスタ７５２と、加算器７５３とから構成されている。
【００４３】
前記初期値発生部７５０は所定の初期値を発生して出力する。前記マルチプレクサ７５１は前記初期値発生部７５０とフィードバック入力された出力値を入力されて制御部７４０の初期化信号に応じて前記初期値発生部７５０を選択して出力し、その後にはフィードバック入力された値を選択して出力させる。前記レジスタ７５２は前記マルチプレクサ７５１から出力された値を有しており、その値をクロック信号に応じて出力する。一方、前記レジスタ７５２から出力された信号はフィードバックされて加算器７５３で“１”が加算されて前記マルチプレクサ７５１にフィードバック入力されるようになる。
【００４４】
そして、前記第２次発生部７１３は前記第１次発生部７１１で前記臨時格納部７１２に最終的に格納させた値を読出して＋／−０.５された値を順次に発生させる。
【００４５】
図６は本発明の第２次発生部の具体的な実施形態を示した図面であり、加算器７６０と、マルチプレクサ７６１と、加算器７６２とから構成されている。
【００４６】
前記加算器７６０は前記臨時格納部７１２から読出された値に“−０.５”を加算して出力する。前記マルチプレクサ７６１は前記制御部７４０の選択信号(sel３)に応じて前記加算器７６０の出力値と前記加算器７６２の出力値を選択して出力する。前記加算器７６２は前記マルチプレクサ７６１の出力値に“１”を加算して前記マルチプレクサ７６１にフィードバック入力させるようになっている。
【００４７】
前記第１選択部７１４は前記制御部７４０の選択信号(sel１)に応じて前記第１次発生部７１１と第２次発生部７１３の出力値を選択して出力する。
【００４８】
前記第２選択部７１５は前記制御部７４０の選択信号(sel２)に応じて前記第１選択部７１４と前記臨時格納部７１２の出力値を選択して出力する。
【００４９】
前記比較部７３０は比較器７３１とメモリ７３２とから構成される。前記比較器７３１は前記相関度計算部６００から出力されるシンボル単位の相関度値を入力されて順次に比較し大きい値を前記メモリ７３２に格納し、前記メモリ７３２に格納された相関度値を発生させた周波数オフセット発生部７１０の出力値を前記臨時格納部７１２に格納させるように制御する。
【００５０】
前記位相計算部７２０は周波数オフセット発生部７１０の出力値に搬送波周波数の間隔を乗算した値を前記ループフィルター２００に出力させる。
【００５１】
そして、前記制御部７４０では前記周波数オフセット発生部７１０と、比較部７３０およびループフィルター２００を初期化し、最終段階で前記臨時格納部の値を周波数オフセット値として選択して前記位相計算部７２０に出力するように制御する。
【００５２】
以下、本発明を欧州伝送規格の２Ｋモードでコーディング／エンコーディングされるＯＦＤＭフレームを適用して説明する。
【００５３】
ここで、ＯＦＤＭフレームはＴｆ周期を有し、６８ＯＦＤＭシンボルから構成され、四つのフレームが一つのスーパーフレームを構成する。各シンボルはＫ＝１７０５キャリヤを有し、Ｔｓ周期で伝送される。このシンボルはＴｕ周期を有して伝送される有効データとΔ周期を有して伝送される保護区間とから構成される。この際、保護区間は有効データの１／４だと仮定する。このＯＦＤＭフレームのパラメータは下記の表２により示される。
【００５４】
【表２】
0003965638.tif 000006
【００５５】
本発明の第１次発生部７１１は−Ｓ、−Ｓ＋１、…、０、…、Ｓ−１、Ｓを順次に発生させるので、ここではＳ＝２７だと仮定する。
【００５６】
したがって、システムが初期化されると、比較部のメモリ７３２と臨時格納部７１２が初期化されて格納値が各々“０”になり、前記第１次発生部７１１が初期化される。
【００５７】
前記第１次発生部７１１は初期化されながら−２７を初めて発生させるようになると、前記第１,２選択部７１４,７１５が前記第１次発生部７１１の出力値を選択して位相計算部７２０に出力する。前記位相計算部７２０では前記第１次発生部７１１の出力値である−２７に搬送波周波数の間隔である４４６４Ｈzを乗算して出力し、前記出力された値によりディロテータ４００でＡ／Ｄ変換器１００から入力されたチャンネル信号を周波数補正するようになる。
【００５８】
この周波数補正された信号はＯＦＤＭ復調器５００にシンボルを出力する。この際、前記抽出部６１０はＯＦＤＭ復調器５００から出力されるシンボルから連続パイロットキャリヤを抽出して出力するようになる。この抽出部６１０から出力された連続パイロットキャリヤは前記相関器６２０で前記基準情報発生部６３０から出力された既決定された値と補間されて相関度が計算される。この相関計算部６００の出力値であるシンボルの相関度は前記比較部７３０に出力されると、初期値“０”より大きいため格納部７３２に格納され、前記比較部７３０は前記第１次発生部７１１から出力された値−２７を前記臨時格納部７１２に格納するように制御する。
【００５９】
次に、前記第１次発生部７１１は−２６を位相計算部７２０に出力し、この出力値は位相計算部７２０で変換されて周波数オフセット値に当たる位相信号をループフィルター２００に出力する。このループフィルター２００で所定の利得を調節して出力された値は電圧制御発振器３００を経てディロテータ４００に出力される。ディロテータ４００では入力された信号を余弦波と正弦波とに分離して前記アナログ/ディジタル変換器１００の出力値の周波数に乗算することにより周波数オフセットを補正してＯＦＤＭ復調器５００に出力する。
【００６０】
前記ＯＦＤＭ復調器５００で復号化されたシンボルから前記抽出部６１０が連続パイロットキャリヤを抽出し、前記抽出された連続パイロットキャリヤは基準情報発生部６３０の出力値と比較して相関度を計算するようになる。前記相関度計算部６００で出力されたシンボルの相関度値を前記比較部７３０に格納された−２７の相関度値と比較してそのうち大きい値を格納する。このような過程を通して第１次発生部７１１では−２７から２７まで順次に発生させて最大相関度値を有する整数値を前記臨時格納部７１２に格納させる。そして、前記第１次発生部７１１から所定の値、例えばＬが最大の相関度値を有するようになると、前記臨時格納部７１２には最終的にＬが格納されるようにする。
【００６１】
この際、格納されたＬ値は周波数オフセットが搬送波周波数間隔の１／２の範囲内に位置するようになる周波数オフセット推定値になる。
【００６２】
前記第２次発生部７１３は第１次発生部７１１により得られた最終値を前記臨時格納部７１２から読出して−０.５を減算して出力する。この際、前記制御部７４０では前記第２次発生部７１３の出力値を選択して位相計算部７２０に出力するように第１,２選択部７１４,７１５を制御する。前記位相計算部７２０で第２次発生部７１３から出力された値に搬送波周波数間隔を乗算して出力することによりチャンネル信号の周波数をディロテータ４００で補正する。この補正されたチャンネル信号はＯＦＤＭ復調器５００で復調されてシンボルを出力するようになる。相関度計算部６００では前記ＯＦＤＭ復調器５００から出力されたシンボルで相関度を計算して比較部７３０に出力する。前記比較部７３０では既格納された相関度値と入力された相関度値とを比較して、入力された値が大きい値であると、格納された値を更新すると共に前記臨時格納部７１２を制御して第２次発生部の出力値に更新するように制御する。
【００６３】
次いで、前記第２次発生部７１３は先に出力された値に＋１を加算して出力し、この出力された値は位相計算部７２０で位相信号に変換されてループフィルター２００に出力される。この位相信号によりアナログ/ディジタル変換器１００から入力されたチャンネル信号の周波数を補正しＯＦＤＭ復調器５００で復調してシンボル信号を出力するようになる。
【００６４】
こうして最終的に前記臨時格納部７１２に格納された値は受信されたチャンネル信号の周波数オフセットの推定値として決定される。
【００６５】
こうして決定された周波数オフセットの推定値は搬送波周波数間隔の１／４範囲内に周波数オフセットを推定するようになる。
【００６６】
したがって、前記制御部７４０で前記第２選択部７１５を制御し、前記格納された値が位相計算部７２０に出力される。前記第２選択部７１５から出力された値は前記位相計算部７２０で位相信号で計算されてループフィルター２００に出力される。そして、ループフィルター２００の出力値は電圧制御発振器３００を経てディロテータ４００に出力される。ディロテータ４００ではアナログ/ディジタル変換器１００から入力されたチャンネル信号の周波数を補正して、周波数オフセットを搬送波周波数間隔の１／４範囲内に補正して出力する。
【００６７】
【発明の効果】
このように補正されたチャンネル信号を精密周波数で同期することは周波数オフセットを補正しなかった場合より周波数を高速で同期させ得る効果がある。
【図面の簡単な説明】
【図１】本発明によるＯＦＤＭ受信システムの周波数オフセット補正装置の一実施形態を示したブロック構成図である。
【図２】図１に示した相関度計算部を詳細に示したブロック構成図である。
【図３】基準情報値を発生させるＰＲＢＳを示した図面である。
【図４】図１の周波数オフセット推定部を詳細に示したブロック構成図である。
【図５】図４に示した第１次発生部の実施形態を示した図面である。
【図６】図４に示した第２次発生部の実施形態を示した図面である。
【符号の説明】
１００  Ａ／Ｄ変換器
２００  ループフィルタ
３００  電圧制御発振器
４００  ディロテータ
５００  ＯＦＤＭ復調器
６００  相関度計算部
７００  周波数オフセット推定部
【図１】
0003965638.tif 000007
【図２】
0003965638.tif 000008
【図３】
0003965638.tif 000009
【図４】
0003965638.tif 000010
【図５】
0003965638.tif 000011
【図６】
0003965638.tif 000012